(57)【特許請求の範囲】
【請求項１】
ウエスト部の前面部または後面部から側面部をカバーするカバー部と、左右２枚の係止部とを備え、  前記カバー部と前記左右２枚の係止部は、前記カバー部の長手方向端部に夫々設けられた左右２枚の伸縮部によって夫々連結されており、  前記伸縮部は、伸縮素材と、前記伸縮素材に設けられた前記伸縮素材の長手方向の伸びを一定に制限する左右の補強部材からなり、 前記補強部材は、腹帯の上方から下方および下方から上方に夫々延びる２以上の紐状の部材であり、  右側の前記補強部材は、前記右側伸縮部の前記カバー部側端部から前記右側係止部側端部にかけて設けられ、左側の前記補強部材は、前記左側伸縮部の前記カバー部側端部から前記左側係止部側端部にかけて設けられており、 上方から下方に延びる紐状の前記補強部材と、下方から上方に延びる紐状の前記補強部材の組において、前記カバー部側端部における前記補強部材の基端部間の長さは、前記係止部側端部における前記補強部材の基端部間の長さよりも大きく設定してあり、  前記カバー部の長手方向端部から中央部に向かって、伸縮部材と非伸縮部材の両方からなる部分伸縮部が設けられていることを特徴とする、腹帯。
【請求項２】
前記補強部材は、前記伸縮部上で交差するように設けられていることを特徴とする、請求項１に記載の腹帯。
【請求項３】
前記伸縮部は、腹帯の幅方向に比べて長手方向により伸縮することを特徴とする、請求項１乃至２のいずれか１項に記載の腹帯。
【請求項４】
前記カバー部の少なくとも一部に、前記係止部を挿通することができる挿通可能部が形成されていることを特徴とする、請求項１乃至３のいずれか１項に記載の腹帯。
【請求項５】
前記左右２枚の係止部の少なくとも一部には、第１係止具が設けられ、
前記カバー部の少なくとも一部には、前記第１係止具と着脱可能な第２係止具が設けられていることを特徴とする、請求項１乃至４のいずれか１項に記載の腹帯。
【請求項６】
前記腹帯は、妊産婦用腹帯であることを特徴とする、請求項１乃至５のいずれか１項に記載の腹帯。
【発明の詳細な説明】
【技術分野】
【０００１】
本発明は、腹帯に関する。より詳しくは、着用者の身体の動きに追随でき、ずれにくく、且つ着用者のウエスト部を適度な力で支持できる腹帯に関する。
【背景技術】
【０００２】
従来の腹帯に関して、特許文献１に記載されたものが知られている。特許文献１に記載の腹帯は、ウエスト部の前面部及び両側面部をカバーする伸縮性布帛と被係止具からなる前面側カバー部材と、この前面側カバー部材の横方向両端部にそれぞれ設けられた左右２枚の係止用把持バンドからなり、前面カバー部材の少なくとも１箇所が伸縮性の素材となることを構成要件としている。さらに、特許文献１に記載の腹帯は、被係止具が構成される領域も伸縮性の素材から構成され、伸縮性布帛は、２枚の伸縮性布帛の一部が重なるように構成され、２枚の伸縮性布帛の２組の側部同士の双方は縫着されているが、側部以外は縫着されておらず、それぞれ独立した状態で遊離していることを構成要件としている。このように、前面カバー部材の少なくとも１箇所が伸縮性の素材となることを構成要件とすることにより、腹部の膨らみを必要以上に圧迫することがなく、膨らんだ腹部を適度な力で支持することができ、２枚の伸縮性布帛がその一部で重なることで、運動性を下げずに伸縮性を発揮できるという効果を奏する。
【先行技術文献】
【特許文献】
【０００３】
【特許文献１】特許第６２７５３０９号
【発明の概要】
【発明が解決しようとする課題】
【０００４】
上記の通り、特許文献１に記載の腹帯は、前面カバー部材の少なくとも１箇所が伸縮性の素材であることにより、腹部の膨らみを必要以上に圧迫することがなく、膨らんだ腹部を適度な力で支持することができ、２枚の伸縮性布帛がその一部で重なることで、運動性を下げずに伸縮性を発揮できるという効果を奏する。
しかしながら、特許文献１に記載の腹帯は、前面カバー部材の少なくとも１箇所が伸縮性の素材であるため、着用者の身体の動きには追随できるが、腹帯にかかる圧力によって、腹帯が変形してずれてしまい、着用者のウエスト部を適度に支持できない虞がある。
【０００５】
本発明は、上記したような従来技術の問題点を解決すべくなされたものであって、着用者の身体の動きに追随でき、ずれにくく、且つ着用者のウエスト部を適度な力で支持できる腹帯を提供するものである。
【課題を解決するための手段】
【０００６】
請求項１に係る発明は、ウエスト部の前面部または後面部から側面部をカバーするカバー部と、左右２枚の係止部とを備え、前記カバー部と前記左右２枚の係止部は、前記カバー部の長手方向端部に夫々設けられた左右２枚の伸縮部によって夫々連結されており、前記伸縮部は、伸縮素材と、前記伸縮素材に設けられた前記伸縮素材の長手方向の伸びを一定に制限する左右の補強部材からなり、右側の前記補強部材は、前記右側伸縮部の前記カバー部側端部から前記右側係止部側端部にかけて設けられ、左側の前記補強部材は、前記左側伸縮部の前記カバー部側端部から前記左側係止部側端部にかけて設けられていることを特徴とする、腹帯に関する。
【０００７】
請求項２に係る発明は、前記補強部材は、前記伸縮部の前記カバー部側端部から前記係止部側端部にかけて、前記腹帯の上方から下方および／または下方から上方に延びる１以上の紐状の部材であることを特徴とする、請求項１に記載の腹帯に関する。
【０００８】
請求項３に係る発明は、前記補強部材は、前記腹帯の上方から下方および下方から上方に夫々延びる２以上の紐状の部材であることを特徴とする、請求項１に記載の腹帯に関する。
【０００９】
請求項４に係る発明は、前記補強部材は、前記伸縮部上で交差するように設けられていることを特徴とする、請求項３に記載の腹帯に関する。
【００１０】
請求項５に係る発明は、前記伸縮部は、腹帯の幅方向に比べて長手方向により伸縮することを特徴とする、請求項１乃至４のいずれか１項に記載の腹帯に関する。
【００１１】
請求項６に係る発明は、前記カバー部の長手方向端部から中央部に向かって、伸縮部材と非伸縮部材の両方からなる部分伸縮部が設けられていることを特徴とする、請求項１乃至５のいずれか１項に記載の腹帯に関する。
【００１２】
請求項７に係る発明は、前記カバー部の少なくとも一部に、前記係止部を挿通することができる挿通可能部が形成されていることを特徴とする、請求項１乃至６のいずれか１項に記載の腹帯に関する。
【００１３】
請求項８に係る発明は、前記左右２枚の係止部の少なくとも一部には、第１係止具が設けられ、前記カバー部の少なくとも一部には、前記第１係止具と着脱可能な第２係止具が設けられていることを特徴とする、請求項１乃至７のいずれか１項に記載の腹帯に関する。
【００１４】
請求項９に係る発明は、前記腹帯は、妊産婦用腹帯であることを特徴とする、請求項１乃至８のいずれか１項に記載の腹帯に関する。
【発明の効果】
【００１５】
請求項１に係る発明によれば、腹帯は、ウエスト部の前面部または後面部から側面部をカバーするカバー部と、左右２枚の係止部とを備え、カバー部と前記左右２枚の係止部は、カバー部の長手方向端部に夫々設けられた左右２枚の伸縮部によって夫々連結されているため、着用者の身体の動きに追随し、ウエスト部周辺の動きの制限を回避する効果を奏する。
さらに、伸縮部は、伸縮素材と、前記伸縮素材に設けられた前記伸縮素材の長手方向の伸びを一定に制限する左右の補強部材からなり、右側の前記補強部材は、前記右側伸縮部の前記カバー部側端部から前記右側係止部側端部にかけて設けられ、左側の前記補強部材は、前記左側伸縮部の前記カバー部側端部から前記左側係止部側端部にかけて設けられているため、装着後に伸縮部に圧力がかかることにより発生する伸縮部の変形および着圧の偏りを回避し、形状を保ったまま着圧を面で与え、且つウエスト部を適度な力で支持する着圧を維持することを可能にするという効果を奏する。
【００１６】
請求項２に係る発明によれば、補強部材は、伸縮部のカバー部側端部から係止部側端部にかけて、腹帯の上方から下方および／または下方から上方に延びる１以上の紐状の部材であるため、装着後に伸縮部に圧力がかかることにより発生する伸縮部の変形および着圧の偏りを回避し、形状を保ったまま面で着圧を与えるという効果をより容易に奏することができる。
【００１７】
請求項３に係る発明によれば、補強部材は、腹帯の上方から下方および下方から上方に夫々延びる２以上の紐状の部材であるため、装着後に伸縮部に圧力がかかることにより発生する伸縮部の変形および着圧の偏りを回避し、形状を保ったまま面で着圧を与えるという効果がより高められる。
【００１８】
請求項４に係る発明によれば、補強部材は、伸縮部上で交差するように設けられているため、伸縮部のカバー部側端部から係止部側端部の間の面部に複数の略三角形の構造、所謂筋交いが形成され、伸縮部にかかる圧力に対して優れた形状維持効果を奏する。
【００１９】
請求項５に係る発明によれば、伸縮部は、腹帯の幅方向に比べて長手方向により伸縮するため、幅方向の伸縮を抑えてウエスト部を支持しながらも、長手方向に適度に伸縮することにより容易に装着可能且つ身体の動きに追随するという効果を奏する。
【００２０】
請求項６に係る発明によれば、カバー部の長手方向端部から中央部に向かって、伸縮部材と非伸縮部材の両方からなる部分伸縮部が設けられているため、支持すべき箇所を非伸縮部材で維持しながら、臀部下方等の身体の大きく動く箇所は伸縮部材で動きを制限することなく追随することでずれを防止するという効果を奏する。
【００２１】
請求項７に係る発明によれば、カバー部の少なくとも一部に、係止部を挿通することができる挿通可能部が形成されているため、着用者自身および着用者以外の人が腹帯をしっかり締めることが可能で、且つ着脱し易いという効果を奏する。
【００２２】
請求項８に係る発明によれば、左右２枚の係止部の少なくとも一部には、第１係止具が設けられ、カバー部の少なくとも一部には、第１係止具と着脱可能な第２係止具が設けられているため、着脱し易いという効果を奏する。
【００２３】
請求項９に係る発明によれば、腹帯は、妊産婦用腹帯であるため、産前産後の産道を形成するために生じる骨盤の緩みを固定し安定させ、腰痛や歩行の負担軽減に効果的な腹帯を提供できる。
【図面の簡単な説明】
【００２４】
【図１】本発明の一実施形態に係る腹帯の正面図である。
【図２】図１の腹帯の背面図である。
【図３】図１の腹帯を装着した状態の正面図である。
【図４】図１の腹帯を装着した状態の背面図である。
【図５】図１の腹帯を装着した状態の側面図である。
【図６】（ａ）は下方から上方に延びる１本の補強部材が設けられた伸縮部材の説明図であり、（ｂ）は上方から下方および下方から上方に延びる２つの補強部材が設けられた伸縮部材の説明図であり、（ｃ）は伸縮部上で２つの補強部材が交差するように設けられた伸縮部材の説明図である。
【図７】部分伸縮部の説明図であり、（ａ）は非伸縮部、（ｂ）は伸縮部、（ｃ）は非伸縮部と伸縮部を縫着した状態を示す説明図である。
【発明を実施するための形態】
【００２５】
以下、本発明に係る腹帯について、図面を参照しつつ、本発明の実施形態について詳細に説明する。
図１は、本発明の一実施形態に係る腹帯の正面図である。図２は、図１の腹帯の背面図である。なお、上方とは図６での上方向のことであり、下方とは図６での下方向のことである。また、本明細書において、ウエスト部とは、肋骨と骨盤の間の領域（腹部および腰部を含む領域）のことである。
【００２６】
図１に示す如く、本発明に係る腹帯（１）は、カバー部（２）と、左右２枚の係止部（３Ａ、３Ｂ）と、２枚の伸縮部（４Ａ、４Ｂ）とを有する。
本発明に係る腹帯（１）は、フロントクロスの腹帯（つまり、ウエスト部の前面部（Ｆ）で係止部（３Ａ、３Ｂ）が係止され、カバー部（２）はウエスト部の後面部（Ｂ）に位置する態様）として用いても良く、バッククロスの腹帯（つまり、ウエスト部の後面部（Ｂ）で係止部（３Ａ、３Ｂ）が係止され、カバー部（２）はウエスト部の前面部（Ｆ）に位置する態様）として用いても良い。
【００２７】
カバー部（２）は、ウエスト部の前面部（Ｆ）または後面部（Ｂ）から側面部（Ｓ）をカバーするように構成されている。
カバー部（２）は、ウエスト部の前面部（Ｆ）または後面部（Ｂ）から側面部（Ｓ）の一部を覆っていても良く、全部を覆っていても良い。
カバー部（２）の長手方向端部（５Ａ、５Ｂ）は、左右２枚の伸縮部（４Ａ、４Ｂ）と夫々縫着されている。
カバー部（２）と左右２枚の係止部（３Ａ、３Ｂ）の間に伸縮部（４Ａ、４Ｂ）が設けられることにより、装着時に腹帯（１）をしっかり締めることが可能となり、且つ装着後も着用者の身体の動きに追随することでずれにくくなる。
【００２８】
また、カバー部（２）の前面の少なくとも一部に、左右２枚の係止部（３Ａ、３Ｂ）に設けられた面ファスナーの係止部を構成する第１係止具（８Ａ、８Ｂ）と着脱可能な面ファスナーの被係止部を構成する第２係止具（９）を設けても良い。
なお、第１係止具（８Ａ、８Ｂ）および第２係止具（９）を設ける位置は特に限定されず、装着時に第１係止具（８Ａ、８Ｂ）および第２係止具（９）を係止できる位置にそれぞれの係止具が設けられていれば、いかなる位置であっても良い。
【００２９】
カバー部（２）は、曲面状に形成され、かつその上下端部（２Ａ、２Ｂ）が曲線状を呈する形状であることが望ましい。
これにより、ウエスト部とカバー部（２）が接触しやすくなる。
そのため、ウエスト部とカバー部（２）にずれが生じにくくなり、体に立体的に沿うように腹帯（１）を装着できる。
【００３０】
図３は、図１の腹帯を装着した状態の正面図である。図４は、図１の腹帯を装着した状態の背面図である。図５は、図１の腹帯を装着した状態の側面図である。
【００３１】
左右２枚の係止部（３Ａ、３Ｂ）は、腹帯（１）を装着する際に、着用者の手に把持されて側方へ引っ張られた後、カバー部（２）の第２係止具（９）に係止される。
左右２枚の係止部（３Ａ、３Ｂ）の背面の少なくとも一部には第１係止具（８Ａ、８Ｂ）が設けられていても良い。
第１係止具（８Ａ、８Ｂ）は、上述したように、カバー部（２）の第２係止具（９）と着脱可能に構成されている。
左右２枚の係止部（３Ａ、３Ｂ）は、非伸縮素材または伸縮素材、あるいはこれらの組み合わせから形成されている。
【００３２】
カバー部（２）の少なくとも一部、または伸縮部（４A、４B）に、左右２枚の係止部（３Ａ、３Ｂ）の右側の係止部（３Ａ）または左側の係止部（３Ｂ）を挿通することができる挿通可能部（１０）が形成されていても良い。
挿通可能部（１０）は、腹帯（１）を装着する際に、左右２枚の係止部（３A、３B）のいずれか一方の係止部（３A、３B）を挿通出来るように形成されていれば良く、その形状や位置は限定されない。
なお、左右どちらかでも腹帯（１）を装着しやすくなるという観点から、挿通可能部（１０）は、左右２枚の係止部（３A、３B）を夫々挿通出来るように、例えば、左右の伸縮部（４A、４B）に夫々設けられていることが望ましい。
【００３３】
左右２枚の係止部（３A、３B）は、その基端部（３A１、３B１）から先端部（３A２、３B２）にかけて幅が細くなり、カバー部（２）の中央部（６）から先端部（３A２、３B２）にかけては長手方向の中心線（１１）に対して斜め方向に位置する形状であることが望ましい。
先端部（３A２、３B２）の幅が細いことにより、着用者が腹帯（１）を装着する際に持ちやすく、装着しやすくなる。
また、長手方向の中心線（１１）に対して斜め方向に位置していることによって、体に立体的に沿わして腹帯（１）を装着できる。
また、本発明に係る腹帯（１）のバネ常数をｋとし、伸縮量をｘとすると腹帯（１）の弾性力ｙは、一次関数（ｙ＝ｋｘ）で表すことができる。
すなわち、挿通可能部（１０）への挿入長さおよび腹帯（１）の伸縮量によって、腹帯（１）の締め付け強度を任意に調節することができる。
締め付け強度が調節できず、必要以上に圧迫してしまうと、着用者の血流を阻害することになるが、本発明に係る腹帯（１）によれば、締め付け強度を任意に調節できるので、ウエスト部を必要以上に圧迫することがなく、血行を阻害することなく、ウエスト部を適度な力で支持することができる。
【００３４】
伸縮部（４Ａ、４Ｂ）は、伸縮素材（１３Ａ、１３Ｂ）からなり、例えば伸縮性を有する布地（布帛）から構成することができるが、その布地の種類は特定のものには限定されない。
伸縮部（４Ａ、４Ｂ）は、伸縮性を有する布地（布帛）と、着用者の身体を面で支えるための長手方向（Ｌ）に延びる紐状の伸縮性を有する補強部材（１２Ａ、１２Ｂ）を有する。
【００３５】
図６は、左側伸縮素材（１３Ｂ）と左側補強部材（１２Ｂ）からなる左側伸縮部（４Ｂ）の説明図である。（ａ）は腹帯（１）の下方から上方に延びる１本の補強部材（１２Ｂ）が設けられた図である。（ｂ）は腹帯（１）の上方から下方および下方から上方に延びる２本の補強部材（１２Ｂ）が設けられた図である。（ｃ）は伸縮部上で補強部材（１２Ｂ）が交差するように設けられた図である。
なお、図６では左側伸縮部（４Ｂ）について説明しているが、右側伸縮部（４Ａ）についても左側伸縮部（４Ｂ）と同様の構造および効果を有する。
【００３６】
ＪＩＳ−Ｌ−１０９６に基づく伸長回復性の試験において、２０Ｎの負荷をかけた場合の、伸縮素材（１３Ａ、１３Ｂ）の縦方向の伸長率は、８０〜１８０％が望ましく、補強部材（１２Ａ、１２Ｂ）の縦方向の伸長率は、８０〜１９０％が望ましい。
伸縮素材（１３Ａ、１３Ｂ）および補強部材（１２Ａ、１２Ｂ）の縦方向の伸長率が８０％未満であると、着用者の身体の動きに追随できない。
伸縮素材（１３Ａ、１３Ｂ）の縦方向の伸長率が１８０％より大きい、および補強部材（１２Ａ、１２Ｂ）の縦方向の伸長率が１９０％より大きいと、伸縮性が高くなりすぎ、ウエスト部を適度な力で支持する着圧を維持することが困難となる。
【００３７】
右側の補強部材（１２Ａ）は、右側伸縮部（４Ａ）のカバー部側端部（４Ａ１）から右側係止部側端部（４Ａ２）にかけて設けられ、左側の補強部材（１２Ｂ）は、左側伸縮部（４Ｂ）のカバー部側端部（４Ｂ１）から左側係止部側端部（４Ｂ２）にかけて設けられている。
補強部材（１２Ａ、１２Ｂ）は、図６（ａ）に示す如く、伸縮部（４Ａ、４Ｂ）のカバー部側端部（４Ａ１、４Ｂ１）から係止部側端部（４Ａ２、４Ｂ２）に亘って、腹帯（１）の下方から上方に延びる１以上の紐状の部材であっても良い。
補強部材（１２Ａ、１２Ｂ）は、伸縮部（４Ａ、４Ｂ）のカバー部側端部（４Ａ１、４Ｂ１）から係止部側端部（４Ａ２、４Ｂ２）にかけて、腹帯（１）の上方から下方に延びるように設けられていても良く、腹帯（１）の上下方向に対して傾きがないように設けても良い。
また、補強部材（１２Ａ、１２Ｂ）は直線状ではなく、少なくとも一部が曲線状であっても良い。
補強部材（１２Ａ、１２Ｂ）が、上記のように設けられることにより、伸縮部（４Ａ、４Ｂ）の伸縮性を維持したまま強度を増すことができるため、体の動きによる伸縮部（４Ａ、４Ｂ）の変形を防止することができる。
なお、補強部材（１２Ａ、１２Ｂ）は、上下方向に対して傾きがないように設けるよりも、腹帯（１）の下方から上方、または上方から下方に延びるように設ける方がさらに上記の効果を奏することができる。
これは、補強部材（１２Ａ、１２Ｂ）を腹帯（１）の下方から上方、または上方から下方に延びるように設けることにより、伸縮部（４Ａ、４Ｂ）を略三角形の構造を有する面とすることができる。
これにより、伸縮部（４Ａ、４Ｂ）の強度をより向上させることができ、形状を保ったまま面で着圧を与えるという効果が得られ易くなる。
【００３８】
補強部材（１２Ａ、１２Ｂ）は、図６（ｂ）に示す如く、腹帯（１）の上方から下方および下方から上方に延びる２本の補強部材（１２Ａ、１２Ｂ）から構成されていても良い。
補強部材（１２Ａ、１２Ｂ）を上記２本の補強部材（１２Ａ、１２Ｂ）から構成することにより、１本の補強部材（１２Ａ、１２Ｂ）を用いた場合よりも、伸縮部（４Ａ、４Ｂ）の強度をより向上させることができ、形状を保ったまま面で着圧を与えるという効果が得られ易くなる。
このように補強部材（１２Ａ、１２Ｂ）を設けた場合であっても、伸縮部（４Ａ、４Ｂ）を略三角形の構造を有する面とすることができる。
なお、補強部材（１２Ａ、１２Ｂ）は２本以上設けても良い。
【００３９】
補強部材（１２Ａ、１２Ｂ）は、図６（ｃ）に示す如く、伸縮部（４Ａ、４Ｂ）上で交差するように設けられていても良い。
補強部材（１２Ａ、１２Ｂ）を、伸縮部（４Ａ、４Ｂ）上で交差するように設けることで、伸縮部（４Ａ、４Ｂ）に複数の略三角形の構造（所謂筋交い）が形成され、伸縮部（４Ａ、４Ｂ）にかかる上下左右方向全ての方向に対する圧力に対して優れた形状維持効果を奏する。
【００４０】
なお、伸縮部（４Ａ、４Ｂ）の伸縮素材（１３Ａ、１３Ｂ）は、少なくとも腹帯（１）の長手方向（Ｌ）に伸縮する素材から構成されている。
より好ましくは、伸縮部（４Ａ、４Ｂ）の伸縮素材（１３Ａ、１３Ｂ）は、腹帯（１）の幅方向（Ｗ）よりも長手方向（Ｌ）に伸縮する素材から構成されていることが望ましい。
幅方向（Ｗ）の伸縮を抑えることで、伸縮部（４Ａ、４Ｂ）の形状を保ったまま、長手方向（Ｌ）に適度に伸縮することにより、容易な装着と身体の動きに追随する効果が得られるため、伸縮部（４Ａ、４Ｂ）の伸縮素材（１３Ａ、１３Ｂ）は、腹帯（１）の幅方向（Ｗ）に比べて長手方向（Ｌ）により伸縮する素材であることが望ましい。
【００４１】
カバー部（２）の長手方向端部（５Ａ、５Ｂ）から中央部（６）に向かって、伸縮部材と非伸縮部材の両方からなる部分伸縮部（７）が設けられていても良い。
部分伸縮部（７）を設けることによって、臀部下方等の身体の良く動く箇所の追随性をさらに高めることができ、より容易にずれを防止するができる。
【００４２】
図７は、部分伸縮部（７）の説明図である。（ａ）は非伸縮部材（７１）、（ｂ）は伸縮部材（７２）、（ｃ）は非伸縮部材（７１）と伸縮部材（７２）を縫着した状態を示している。
（ｃ）において、非伸縮部材（７１）の端部（７１１）と伸縮部材（７２）の端部（７１２）は縫着されているが、夫々の端部（７１１、７１２）以外は縫着されておらず、夫々独立した状態で遊離している。
部分伸縮部（７）は、その上方が非伸縮部材（７１）、伸縮部材（７２）となるように構成されていることが望ましい。
これにより、着用者の運動により大きく動く可動域である臀部下方には追随性の良い伸縮部材（７２）が配置され、臀部下方に比べてあまり動かない臀部上方には支持力の高い非伸縮部材（７１）が配置されるため、非伸縮部材（７１）がウエスト部を支持しながら伸縮部材（７２）が可動部の動きに追随し、ずれを軽減させている。
それゆえに、高い運動追随性を維持しつつ、着用者のウエスト部を適度な力で支持する着圧を維持できるという効果を奏することができる。
【産業上の利用可能性】
【００４３】
本発明に係る腹帯によれば、腹帯は、ウエスト部の前面部または後面部から側面部をカバーするカバー部と、左右２枚の係止部とを備え、カバー部と左右２枚の係止部は、カバー部の長手方向端部に夫々設けられた左右２枚の伸縮部によって夫々連結されているため、着用者の身体の動きに追随し、ウエスト部周辺の動きの制限を回避する効果を奏する。
さらに、伸縮部は、伸縮素材と、伸縮素材に設けられた伸縮素材の長手方向の伸びを一定に制限する左右の補強部材からなり、右側の補強部材は、右側伸縮部のカバー部側端部から右側係止部側端部にかけて設けられ、左側の補強部材は、左側伸縮部のカバー部側端部から左側係止部側端部にかけて設けられているため、装着後に伸縮部に圧力がかかることにより発生する伸縮部の変形および着圧の偏りを回避し、形状を保ったまま着圧を面で与え、且つウエスト部を適度な力で支持する着圧を維持することを可能にするという効果を奏する。
【００４４】
それゆえに、本発明に係る腹帯は、産前産後、または妊産期に関係なく使用できる、腰回り、お腹周りをサポートする腹帯として好適に用いられる。
【符号の説明】
【００４５】
１      腹帯
２      カバー部
２Ａ    カバー部上端部
２Ｂ    カバー部下端部
３Ａ    右側係止部
３Ａ１  右側係止部の基端部
３Ａ２  右側係止部の先端部
３Ｂ    左側係止部
３Ｂ１  左側係止部の基端部
３Ｂ２  左側係止部の先端部
４Ａ    右側伸縮部
４Ａ１  右側伸縮部のカバー部側端部
４Ａ２  右側伸縮部の右側係止部側端部
４Ｂ    左側伸縮部
４Ｂ１  左側伸縮部のカバー部側端部
４Ｂ２  左側伸縮部の左側係止部側端部
５Ａ    カバー部長手方向右側の端部
５Ｂ    カバー部長手方向左側の端部
６      腹帯中央部
７Ａ    右側部分伸縮部
７Ｂ    左側部分伸縮部
７１    非伸縮部材
７２    伸縮部材
７１１  非伸縮部の端部
７１２  伸縮部の端部
８Ａ    右側第１係止具
８Ｂ    左側第１係止具
９      第２係止具
１０    挿通可能部
１１    長手方向の中心線
１２Ａ  右側補強部材
１２Ｂ  左側補強部材
１３Ａ  右側伸縮素材
１３Ｂ  左側伸縮素材
Ｂ      ウエスト部の後面部
Ｆ      ウエスト部の前面部
Ｌ      長手方向
Ｓ      ウエスト部の側面部
Ｗ      幅方向
【要約】
【課題】  腹帯にかかる圧力による変形を避け、着用者の動きに追随でき、ずれにくく、且つ着用者のウエスト部を適度な力で支持できる腹帯を提供すること。
【解決手段】  腹帯は、ウエスト部の前面部または後面部から側面部をカバーするカバー部と、左右２枚の係止部とを備え、前記カバー部と前記左右２枚の係止部は、前記カバー部の長手方向端部に夫々設けられた左右２枚の伸縮部によって夫々連結されており、前記伸縮部は、伸縮素材と、前記伸縮素材に設けられた前記伸縮素材の長手方向の伸びを一定に制限する左右の補強部材からなり、右側の前記補強部材は、前記右側伸縮部の前記カバー部側端部から前記右側係止部側端部にかけて設けられ、左側の前記補強部材は、前記左側伸縮部の前記カバー部側端部から前記左側係止部側端部にかけて設けられている。
【選択図】図１【図１】
0006660509.tif 000002
【図２】
0006660509.tif 000003
【図３】
0006660509.tif 000004
【図４】
0006660509.tif 000005
【図５】
0006660509.tif 000006
【図６】
0006660509.tif 000007
【図７】
0006660509.tif 000008